(57)【要約】      （修正有）【課題】ショッピングカートの使用頻度の偏りを抑制するとともに、ショッピングカートの衛生状態を良好に保持するショッピングカート除菌ブースを提供する。【解決手段】ショッピングカート除菌ブース１は、ショッピングカート３を収容するためのブース本体２と、ブース本体２の前方側に形成したショッピングカート３を搬出するための搬出口８と、ブース本体２の後方側に形成したショッピングカート３を搬入するための搬入口１２と、ブース本体２の左右側方側及び上方側を被覆するカバー１９と、ショッピングカート３を搬入口１２側から搬出口８側へ搬送するためのショッピングカート搬送機構２７と、ブース本体２の内部に設けた除菌剤を噴霧するための除菌剤噴霧器２９とを有する。【選択図】図４
0003230162.tif 000002
【実用新案登録請求の範囲】
【請求項１】
ショッピングカートを収容するためのブース本体と、
ブース本体の前方側に形成したショッピングカートを搬出するための搬出口と、
ブース本体の後方側に形成したショッピングカートを搬入するための搬入口と、
ブース本体の左右側方側及び上方側を被覆するカバーと、
ショッピングカートを搬入口側から搬出口側へ搬送するためのショッピングカート搬送機構と、
ブース本体の内部に設けた除菌剤を噴霧するための除菌剤噴霧器と、
を有することを特徴とするショッピングカート除菌ブース。
【請求項２】
ショッピングバスケットを搬入口側から搬出口側へ搬送するためのショッピングバスケット搬送機構を有することを特徴とする請求項１に記載のショッピングカート除菌ブース。
【考案の詳細な説明】
【技術分野】
【０００１】
本考案は、ショッピングカートを一時的に保管している間にショッピングカートを除菌することができるショッピングカート除菌ブースに関するものである。
【背景技術】
【０００２】
ショッピングカートは、店舗の入り口付近に設けられた保管場所に前後に重ねた状態で一時的に保管されている（たとえば、特許文献１参照。）。
【０００３】
そして、使用者は、前後に重ねた状態で保管されている複数のショッピングカートの中から最後方のショッピングカートを保管場所から搬出する。使用後には、使用者は、使用したショッピングカートを前後に重ねた状態で保管されている複数のショッピングカートの最後方に搬入する。
【先行技術文献】
【特許文献】
【０００４】
【特許文献１】特開２０１９−５１９１６号公報
【考案の概要】
【考案が解決しようとする課題】
【０００５】
従来においては、前後に重ねた状態で保管場所に保管され、最後方のショッピングカートが搬出され、使用後にショッピングカートが最後方に搬入されるために、前後に重なる複数のショッピングカートの中で後方側のショッピングカートの方が前方側のショッピングカートよりも使用頻度が高くなり、汚れや菌などの付着によって不衛生な状態となるおそれがある。
【課題を解決するための手段】
【０００６】
そこで、請求項１に係る本考案では、ショッピングカート除菌ブースにおいて、ショッピングカートを収容するためのブース本体と、ブース本体の前方側に形成したショッピングカートを搬出するための搬出口と、ブース本体の後方側に形成したショッピングカートを搬入するための搬入口と、ブース本体の左右側方側及び上方側を被覆するカバーと、ショッピングカートを搬入口側から搬出口側へ搬送するためのショッピングカート搬送機構と、ブース本体の内部に設けた除菌剤を噴霧するための除菌剤噴霧器とを有することにした。
【０００７】
また、請求項２に係る本考案では、前記請求項１に係る本考案において、ショッピングバスケットを搬入口側から搬出口側へ搬送するためのショッピングバスケット搬送機構を有することにした。
【考案の効果】
【０００８】
そして、本考案では、以下に記載する効果を奏する。
【０００９】
すなわち、本考案では、ショッピングカート除菌ブースにおいて、ショッピングカートを収容するためのブース本体と、ブース本体の前方側に形成したショッピングカートを搬出するための搬出口と、ブース本体の後方側に形成したショッピングカートを搬入するための搬入口と、ブース本体の左右側方側及び上方側を被覆するカバーと、ショッピングカートを搬入口側から搬出口側へ搬送するためのショッピングカート搬送機構と、ブース本体の内部に設けた除菌剤を噴霧するための除菌剤噴霧器とを有することにしたために、ショッピングカートの使用頻度の偏りを抑制するとともに、ショッピングカートの衛生状態を良好に保持することができる。
【００１０】
特に、ショッピングバスケットを搬入口側から搬出口側へ搬送するためのショッピングバスケット搬送機構を有することにした場合には、ショッピングカートと共に使用されるショッピングバスケットの衛生状態も良好に保持することができる。
【図面の簡単な説明】
【００１１】
【図１】本考案に係るショッピングカート除菌ブースを示す正面図。
【図２】同平面図。
【図３】同右側面図。
【図４】ショッピングカート除菌ブースの使用状態を示す右側面断面図。
【考案を実施するための形態】
【００１２】
以下に、本考案に係るショッピングカート除菌ブースの具体的な構成について図面を参照しながら説明する。
【００１３】
図１〜図４に示すように、ショッピングカート除菌ブース１は、中空箱型状に形成したブース本体２の内部に、複数のショッピングカート３を前後に重ねた状態で収容するとともに複数のショッピングバスケット４を上下に重ねた状態で収容する。
【００１４】
ブース本体２は、垂直に伸延する左右一対の前縦フレーム5,6の上端部間に左右水平に伸延する前横フレーム７を取付けて、ブース本体２の前方側にショッピングカート３及びショッピングバスケット４を搬出するための門型状の搬出口８を形成している。
【００１５】
また、ブース本体２は、垂直に伸延する左右一対の後縦フレーム9,10の上端部間に左右水平に伸延する後横フレーム11を取付けて、ブース本体２の後方側にショッピングカート３及びショッピングバスケット４を搬入するための門型状の搬入口12を形成している。
【００１６】
また、ブース本体２は、前縦フレーム5,6の上端部と後縦フレーム9,10の上端部との間に前後水平に伸延する左右一対の上フレーム13,14を取付けるとともに、前縦フレーム5,6の下部と後縦フレーム9,10の下部との間に前後水平に伸延する左右一対の下フレーム15,16を取付け、前縦フレーム5,6と後縦フレーム9,10と上フレーム13,14と下フレーム15,16とで形成される左右の矩形枠それぞれに透明なビニール製のカバー17,18を取付けて、ブース本体２の左右側方側を被覆し、前横フレーム７と後横フレーム11と上フレーム13,14とで形成される矩形枠に透明なビニール製のカバー19を取付けて、ブース本体２の上方側を被覆している。
【００１７】
さらに、ブース本体２は、上フレーム13,14の中途部と下フレーム15,16の中途部との間に垂直に伸延する左右一対の中間縦フレーム20,21を取付け、中間縦フレーム20,21の中途部と前縦フレーム5,6の中途部との間に前後水平に伸延する左右一対の中間横フレーム22,23を取付け、左右の中間横フレーム22,23の間に左右水平に伸延する３本の支持フレーム24,25,26を前後に間隔をあけて取付けている。
【００１８】
ブース本体２の内部には、ショッピングカート３を前後に重ねた状態で後方の搬入口12側から前方の搬出口８側へ搬送するためのショッピングカート搬送機構27と、ショッピングバスケット４を上下に重ねた状態で後方の搬入口12側から前方の搬出口８側へ搬送するためのショッピングバスケット搬送機構28と、内部に除菌剤を噴霧してショッピングカート３及びショッピングバスケット４の全体を除菌するための除菌剤噴霧器29とが設けられている。
【００１９】
ショッピングカート搬送機構27は、ブース本体２の床に搬出口８の後方から前低後高状に傾斜する前側傾斜板30を形成するとともに、前側傾斜板30の後端から搬入口12の前方に前高後低状に傾斜する後側傾斜板31を形成して、ショッピングカート３を搬入口12側から後側傾斜板31を乗り越えるまで搬入することでショッピングカート３を前側傾斜板30に沿って搬出口８に搬送されるようにしている。
【００２０】
ショッピングカート搬送機構27には、前側傾斜板30に沿って自走（転動）するショッピングカート３を搬出口８付近に停車させるためのストッパ32が設けられている。ストッパ32は、前側の支持フレーム24の下部に左右一対の支持体33,33を間隔をあけて取付けるとともに、各支持体33の下部に回動体34を前後回動自在に取付け、各支持体33と各回動体34との間にバネを介設して回動体34を後方に向けて付勢している。ストッパ32は、左右の回動体34が前側傾斜板30に沿って自走（転動）するショッピングカート３の最上部（ここでは、ハンドル）に当接することで、ショッピングカート３を強制的に停車させるとともに、回動体34の付勢力に抗してショッピングカート３を搬出口８から搬出（前進）させることができるようになっており、搬出口８からショッピングカート３を１台ずつ搬出させることができるようになっている。
【００２１】
ショッピングバスケット搬送機構28は、前側の支持フレーム24の上部に左右一対の支持体35,35を取付けるとともに、支持体35,35の上部間に断面Ｌ字状の回動体36を取付け、支持体35と回動体36との間にバネを介設して回動体36を後方に向けて付勢している。
【００２２】
また、ショッピングバスケット搬送機構28は、中間の支持フレーム25と後側の支持フレーム26の上部に左右一対の支持体37,38を取付けるとともに、支持体37,38の上部間にベルトコンベア39を前低後高の傾斜状に取付け、さらに、ベルトコンベア39の後端部で水平状の載置台40を支持している。
【００２３】
そして、ショッピングバスケット搬送機構28は、複数のショッピングバスケット４を上下に重ねた状態で搬入口12から載置台40に順次搬入すると、先に載置台40に搬入されていたショッピングバスケット４が自重によってベルトコンベア39で回動体36に搬送され、ショッピングバスケット４の自重によって回動体36が付勢力に抗して前方に回転して、ショッピングバスケット４が搬出口８に搬送（供給）される。
【００２４】
除菌剤噴霧器29は、左右の上フレーム13,14の前側下部に取付けられており、カバー17,18,19で被覆されたブース本体２の内部に除菌剤を断続して又は連続して噴霧するようにしている。なお、除菌剤噴霧器29とは別個に紫外線照射装置などの除菌装置を設けてもよい。
【００２５】
ショッピングカート除菌ブース１は、以上に説明したように構成しており、店舗の入り口付近に設置され、後方側の搬入口12からショッピングカート３及びショッピングバスケット４が搬入され、複数のショッピングカート３及びショッピングバスケット４を重ねた状態で一時的に保管するとともに、前方側の搬出口８からショッピングカート３及びショッピングバスケット４が搬出される。これにより、ショッピングカート３及びショッピングバスケット４は、搬入口12から搬入された順に搬出口８から搬出されることになり、ショッピングカート３及びショッピングバスケット４の使用頻度の偏りを抑制することができる。
【００２６】
そして、ショッピングカート除菌ブース１では、カバー17,18,19で被覆されたブース本体２の内部に除菌剤を噴霧することで、ブース本体２の内部にショッピングカート３及びショッピングバスケット４を一時的に保管している間に除菌剤によってショッピングカート３及びショッピングバスケット４の全体を除菌することができる。これにより、ショッピングカート３及びショッピングバスケット４の衛生状態を良好に保持することができる。
【００２７】
以上に説明したように、上記ショッピングカート除菌ブース１は、ショッピングカート３を収容するためのブース本体２と、ブース本体２の前方側に形成したショッピングカート３を搬出するための搬出口８と、ブース本体２の後方側に形成したショッピングカート３を搬入するための搬入口12と、ブース本体２の左右側方側及び上方側を被覆するカバー17,18,19と、ショッピングカート３を搬入口12側から搬出口８側へ搬送するためのショッピングカート搬送機構27と、ブース本体２の内部に設けた除菌剤を噴霧するための除菌剤噴霧器29とを有する構成となっている。
【００２８】
そのため、上記構成のショッピングカート除菌ブース１では、ショッピングカート３の使用頻度の偏りを抑制するとともに、ショッピングカート３の衛生状態を良好に保持することができる。
【００２９】
また、上記ショッピングカート除菌ブース１は、ショッピングバスケット４を搬入口12側から搬出口８側へ搬送するためのショッピングバスケット搬送機構28を有する構成となっている。
【００３０】
そのため、上記構成のショッピングカート除菌ブース１では、ショッピングカート３と共に使用されるショッピングバスケット４の衛生状態も良好に保持することができる。
【符号の説明】
【００３１】
１  ショッピングカート除菌ブース      ２  ブース本体
３  ショッピングカート                ４  ショッピングバスケット
5,6  前縦フレーム                     ７  前横フレーム
８  搬出口                            9,10  後縦フレーム
11  後横フレーム                      12  搬入口
13,14  上フレーム                     15,16  下フレーム
17,18,19  カバー                      20,21  中間縦フレーム
22,23  中間横フレーム                 24,25,26  支持フレーム
27  ショッピングカート搬送機構        28  ショッピングバスケット搬送機構
29  除菌剤噴霧器                      30  前側傾斜板
31  後側傾斜板                        32  ストッパ
33  支持体                            34  回動体
35  支持体                            36  回動体
37,38  支持体                         39  ベルトコンベア
40  載置台
【図１】
0003230162.tif 000003
【図２】
0003230162.tif 000004
【図３】
0003230162.tif 000005
【図４】
0003230162.tif 000006